(57)【特許請求の範囲】
【請求項１】
吐水ヘッドに繋がれた可撓性のホースを、ホース収納管の端部に装着した筒状のホースガイドに挿通した上、該ホース収納管内に挿通状態に収納し、ホース引出時に該ホースガイドにて該ホースを摺動ガイドするようになすとともに、該ホースの外周面に嵌合する状態に設けた筒状の水切部材にて該ホース外面の水切りを行うようになしたホース収納式水栓において、
前記水切部材を前記ホースの移動時に円筒部で且つ該円筒部の内径を一定に維持して水切作用するものとなすとともに、該水切部材を周方向に分割し、周方向所定位置の分離位置でその分割体に分離可能となしたことを特徴とするホース収納式水栓。
【請求項２】
請求項１において、前記複数の分割体の少なくとも２個が薄肉のヒンジにて互いに開閉可能に連繋されていることを特徴とするホース収納式水栓。
【請求項３】
請求項１において、前記複数の分割体の少なくとも２つが互いに非連繋で完全独立構成とされていることを特徴とするホース収納式水栓。
【請求項４】
請求項１〜３の何れかにおいて、前記周方向の分離位置で合わされる分割体の一方の周方向端面に係合凸部が、他方の周方向端面に対応する係合凹部が形成されていて、それらが互いに係合するようになしてあることを特徴とするホース収納式水栓。
【請求項５】
請求項１〜４の何れかにおいて、前記ホースガイドの内径が前記ホースの端部に装着された端部金具の外径よりも大径とされており、該ホースガイド内を該端部金具が軸方向に通過可能となしてあることを特徴とするホース収納式水栓。
【発明の詳細な説明】
【０００１】
【発明の属する技術分野】
この発明は吐水ヘッドに繋がれた可撓性のホースがホース収納管に挿通状態に収納されるホース収納式水栓に関する。
【０００２】
【従来の技術】
図９はこの種ホース収納式水栓の一例として、キッチン用水栓或いは洗髪洗面用水栓等として広く用いられているシャワー水栓の一例を示している。
同図において２００は取付基体としてのカウンターで、このカウンター２００に対し、水栓本体２０２と吐水部２０４とが離隔した位置において取り付けられている。
【０００３】
水栓本体２０２には水，湯のサプライ管２０６が接続されており、それらサプライ管２０６を通じて水，湯が水栓本体２０２に供給される。
水栓本体２０２は、供給された水と湯とをハンドル２０８の操作により所定比率に混合し、その混合水を流出管２１０を通じて外部に流出する。
【０００４】
吐水部２０４は、吐水ヘッド（シャワーヘッド）２１２と、その吐水ヘッド２１２に接続された可撓性のホース２１４を収納する湾曲形状のホース収納管２１６とを有している。
吐水ヘッド２１２は下面に吐水口２１８を有し、更にその吐水口２１８からの吐水をシャワー吐水から整流吐水に若しくはその逆に切替操作する切替操作部２２０を前面に備えており、上記ホース２１４とともにホース収納管２１６から引出可能とされている。
尚、２２２は吐水ヘッド２１２及びホース収納管２１６とともに上下動するスライド管で、外周面に雄ねじを有するガイド管２２４内に摺動可能に挿通されている。
【０００５】
この例のシャワー水栓では、吐水ヘッド２１２を引き出して使用するときにホース２１４を内部に挿通してその摺動ガイドを行う筒状のホースガイドが、ホース収納管２１６の先端部に装着されている。
【０００６】
【発明が解決しようとする課題】
ところでこの種水栓においては、ホース外面に付着した水の水切りを行うため、筒状の水切部材をホースの外面に嵌合状態に装着することが行われている。
この場合、上記ホースガイドの内径をホース外径に近いものとし、即ちホースの外面とホースガイドの内面との間の隙間を可及的に小さくし、そのホースガイドによって水切りを行うこと、即ちホースガイドに水切部材を兼用させることが考えられる。
【０００７】
しかしながらこのようにすると、ホースの端部にこれよりも大径の端部金具を一旦かしめ固定してしまうと、その後においてホースガイドをホースに嵌め合せ、取り付けることができなくなってしまう問題を生ずる。
【０００８】
通常、ホースの端部には相手部品との接続等のためにホースよりも大径の端部金具がかしめ固定されるが、このように端部金具を固定してしまうと、ホースガイドに対してこの端部金具を通過させることができず、ホースガイドを後においてホースに取り付け得なくなってしまうのである。
【０００９】
従ってこの場合には予めホースにホースガイドを嵌め合せ、取り付けた後において、そのホースの端部に端部金具をかしめ固定せざるを得ず、それらホース，端部金具，ホースガイドを一体のホースアッシー（ホース組付品）として扱わざるを得なくなる。
【００１０】
即ち、水栓取付けに際してホース，端部金具，ホースガイドを組み付けて成るホースアッシーを予め用意しておいて、そのホースアッシーを用いて水栓の組付けを行わなければならないといった制約が生じるのであり、このため水栓設置の際の作業性が悪くなる問題を生ずる。
加えてそのホースガイドを別途のものと交換する必要が生じた場合においても、部品交換性が悪いといった問題が生ずる。
他方、ホースガイドとは別に水切部材を設け、それらをホース収納管の端部に装着するようにした水栓も提案されている。
【００１１】
図１０〜１２はその一例を示している（特開平１０−１４７９６３号）。
図示の例は、水栓本体２０２からホース収納管２１６を延び出させ、そこに吐水ヘッド２１２に接続されたホース２１４を収納するようになしたもので、図中２２６はホース２１４の引出時にその摺動ガイドを行う筒状（この例では円筒形状）のホースガイドである。
【００１２】
このホースガイド２２６には、図１２に明かに示しているように弾性片２２８が設けられていてその弾性片２２８に係止爪２３０が設けられ、その係止爪２３０が、ホース収納管２１６の側に設けられた係止孔２３２に弾性的に係止することで、ホースガイド２２６がホース収納管２１６に取付固定されるようになっている。
【００１３】
図１０及び図１１において、２４０はホースガイド２２６とは別体を成す水切部材であってドーナツ管状をなしており、ホースガイド２２６の軸方向隣接位置においてホース２１４に嵌合状態に装着され、ホース２１４の外面に付着した水の水切りを行う。
【００１４】
このように水切部材２４０をホースガイド２２６と別に設けた場合において、その水切部材２４０は適正に水切りを行えるように内径を小さくしておくことが必要であり、従ってこの場合においても水切部材２４０を予めホース２１４に嵌め合せた後において、ホース２１４の端部に端部金具をかしめ固定することが必要となる。
【００１５】
またホースガイド２２６の内径が小さい場合（図示の例ではそのようになっている）には、ホースガイド２２６もまた端部金具のかしめ固定に先立って予めホース２１４に嵌合せ状態に装着しておくことが必要となる。
この場合ホースアッシーは、ホース２１４と、水切部材２４０と、ホースガイド２２６と、ホース両端部の端部金具とを組み付けた形で構成される。
【００１６】
従ってこの場合においても水栓の設置施工の段階で、そこで始めて水切部材２４０或いはホースガイド２２６を独立に組み付けるといったことができず、それらを予めホース２１４とともにホースアッシーとした上でないと組付けができないといった制約が生じ、上記と同様に水栓の施工作業性が悪くなるとともに、後において水切部材２４０或いはホースガイド２２６の部品交換が必要となったとき、その部品交換が容易に行えないといった問題を生ずる。
【００１７】
尚、水切部材２４０をゴム製としておいてその内面をホース２１４の外面に弾性的に密着させるようになすことも考えられる。
この場合、ホース２１４の端部に端部金具をかしめ固定した後において、ゴム製の水切部材２４０を弾性拡径変形させることで端部金具を乗り越えさせ、ホース２１４に嵌合せ状態に取り付けるといったことも一応可能である。
【００１８】
しかしながらこの場合、水切部材２４０の組付性が十分でなく、更にまたホース２１４を引き出す際の摺動抵抗が大きくなり、操作感が悪いといった問題を生ずる。
更にまた、水切部材２４０を部品交換するに際してもその部品交換性が不十分である。
【００１９】
【課題を解決するための手段】
本発明のホース収納式水栓はこのような課題を解決するために案出されたものである。
而して請求項１のものは、吐水ヘッドに繋がれた可撓性のホースを、ホース収納管の端部に装着した筒状のホースガイドに挿通した上、該ホース収納管内に挿通状態に収納し、ホース引出時に該ホースガイドにて該ホースを摺動ガイドするようになすとともに、該ホースの外周面に嵌合する状態に設けた筒状の水切部材にて該ホース外面の水切りを行うようになしたホース収納式水栓において、前記水切部材を前記ホースの移動時に円筒部で且つ該円筒部の内径を一定に維持して水切作用するものとなすとともに、該水切部材を周方向に分割し、周方向所定位置の分離位置でその分割体に分離可能となしたことを特徴とする。
【００２０】
請求項２のものは、請求項１において、前記複数の分割体の少なくとも２個が薄肉のヒンジにて互いに開閉可能に連繋されていることを特徴とする。
【００２１】
請求項３のものは、請求項１において、前記複数の分割体の少なくとも２つが互いに非連繋で完全独立構成とされていることを特徴とする。
【００２２】
請求項４のものは、請求項１〜３の何れかにおいて、前記周方向の分離位置で合わされる分割体の一方の周方向端面に係合凸部が、他方の周方向端面に対応する係合凹部が形成されていて、それらが互いに係合するようになしてあることを特徴とする。
【００２３】
請求項５のものは、請求項１〜４の何れかにおいて、前記ホースガイドの内径が前記ホースの端部に装着された端部金具の外径よりも大径とされており、該ホースガイド内を該端部金具が軸方向に通過可能となしてあることを特徴とする。
【００２４】
【作用及び発明の効果】
上記のように請求項１のものは、筒状をなす水切部材を周方向に分割したもので、この請求項１のホース収納式水栓の場合、水切部材の内径がホース端部に固定された端部金具を通過し得ない小径のものであっても、かかる端部金具をホースに固定した後において、そのホースに水切部材を嵌合せ状態に取り付けることができる。
これにより水栓設置の際の施工性が良好となり、また水切部材を部品交換する必要が生じた場合においても、容易にこれを行うことができる。
【００２５】
この場合において、分割体の少なくとも２個を薄肉のヒンジにて互いに開閉可能に連繋しておくことができる（請求項２）。
このようにすれば、分割体がばらばらになってしまってこれを紛失してしまう恐れをなくすことができ、更に分割体同士を合わせて全体の筒状の水切部材を構成するに際してもその作業性が良好となる利点が得られる。
【００２６】
請求項３のものは、複数の分割体の少なくとも２つを互いに非連繋で完全独立構成となしたもので、この場合においてもホース端部に端部金具を取付固定した後において、水切部材をホースに嵌合せ状態に装着することができる。
【００２７】
請求項４のものは、一対の分割体の一方の周方向端面に係合凸部を、他方の周方向端面に係合凹部を形成してそれらを互いに係合するようになしたもので、このようにしておけば、隣接する分割体を分離位置で合せる際に、それら係合凸部と係合凹部との係合作用に基づいて各分割体のそれぞれの周方向端を位置ずれなく正確に合せることができる。
【００２８】
請求項５のものは、ホースガイドの内径をホース端部に装着された端部金具の外径よりも大径となしたもので、このようにしておけば、ホースガイドに対して端部金具を軸方向に通過させることができ、従ってホースの端部に対して端部金具をかしめ固定した後においても、ホースガイドをホースに対し軸方向に挿通し嵌合せ状態に装着することができる。
【００２９】
請求項１〜５の発明において、上記水切部材は、ホースガイドの内面に嵌合状態に且つ軸方向に固定状態に装着しておくことができる。
【００３０】
【実施例】
次に本発明の実施例を図面に基いて詳しく説明する。
図１〜図５は本発明のホース収納式水栓の一例として、キッチン用水栓或いは洗髪洗面用水栓等として広く用いられているシャワー水栓の例を示したもので、図１中１０はその取付基体としてのカウンターで、このカウンター１０に対して水栓本体１２と吐水部１４とが互いに離隔した位置において取付固定されている。
【００３１】
水栓本体１２には水，湯のサプライ管１６が接続されており、それらサプライ管１６を通じて水と湯とが水栓本体１２に供給される。
水栓本体１２は、供給された水と湯とをハンドル１８の回転操作により所定比率で混合し、その混合水を流出管２０を通じて外部に流出する。
流出管２０を通じて流出した混合水は、これに接続された可撓性のホース２２を通じて後述の吐水ヘッド(シャワーヘッド)２４へと導かれる。
【００３２】
吐水部１４はその吐水ヘッド２４と、これに接続されたホース２２を挿通状態に収納する湾曲形状の収納管２６とを有している。
このホース収納管２６にはスライド管２８が一体的に昇降する状態で連結されており、その昇降時にスライド管２８が、外周面に雄ねじを有するガイド管３０にてスライド案内されるようになっている。
【００３３】
吐水ヘッド２４は下面に吐水口３２を有し、またその前面には吐水口３２からの吐水をシャワー吐水から整流吐水に若しくはその逆に切替操作するための切替操作部３４を備えており、ホース２２とともにホース収納管２６から引出可能とされている。
【００３４】
図２及び図３に示しているように、ホース収納管２６の先端部には筒状の（この例では円筒形状）ホースガイド３６が装着されている。
ホースガイド３６は内部にホース２２を挿通させ、ホース２２が吐水ヘッド２４とともにホース収納管２６から引き出される際に摺動ガイドを行うもので、ホース収納管２６から突出した雄嵌合部３８を有している。
ここでホースガイド３６とホース収納管２６との間はＯリング４０によって水密にシールされている。
【００３５】
一方吐水ヘッド２４には雌嵌合部４２が形成されており、その雌嵌合部４２を雄嵌合部３８に嵌合することで、吐水ヘッド２４がホース収納管２６によりホースガイド３６を介して保持されるようになっている。
【００３６】
ホースガイド３６の後端部には、筒状をなす水切部材４３が嵌合状態で装着されている。
この水切部材４３は硬質の樹脂製の部材であって、図５及び図６に明らかに示しているように一対の分割体４３Ａ，４３Ｂを組み合せて構成してある。
【００３７】
これら各分割体４３Ａ，４３Ｂは、半円筒部４４Ａ，４４Ｂと、その軸方向端に設けられた鍔状部４６Ａ，４６Ｂとをそれぞれ有しており、各分割体４３Ａ，４３Ｂの各半円筒部４４Ａ，４４Ｂを合せることによって円筒部４４を構成するようになっている。
また各分割体４３Ａ，４３Ｂの鍔状部４６Ａ，４６Ｂを合せることによって、正面形状が概略Ｕ字状をなす全体の鍔状部４６を構成するようになっている。
ここで全体としてＵ字状をなす鍔状部４６は、対応する内面形状のホース収納管２６に嵌合することによって、水切部材４３全体の回転方向位置を規定する働きをなす。
【００３８】
本例において、各分割体４３Ａ，４３Ｂは互いに非連繋の完全独立構成とされている。
而して一方の分割体４３Ａにおける半円筒部４４Ａの周方向両端面には係合凸部７０が設けられており、また他方の分割体４３Ｂにおける半円筒部４４Ｂの周方向両端面には対応する係合凹部７２が形成されており、それら係合凸部７０と係合凹部７２とが互いに係合するようになっている。
【００３９】
これら係合凸部７０と係合凹部７２とは、互いに係合することによって各分割体４３Ａ，４３Ｂにおける半円筒部４４Ａ，４４Ｂの周方向端を位置決めし、それらが分離面において位置ずれを生じることなく正確に合致させる働きをなす。
【００４０】
この水切部材４３は、図３に明らかに示しているように円筒部４４がホースガイド３６に内嵌する状態で、かかるホースガイド３６に組み付けられている。
尚、円筒部４４の内径はホース２２の外径よりも大径とされているが、そのホース２２の外径に対し内径が可及的に近いものとされている。即ちホース２２の外面と水切部材４３の内面との間の隙間が可及的に小さいものとされている。
【００４１】
尚ホースガイド３６の内径はホース２２の端部にかしめ固定された端部金具７４の外径よりも大きくされており、その端部金具７４がホースガイド３６内を通過可能とされている。
一方水切部材４３は、その内径が端部金具７４に対して小径とされている。
【００４２】
ホースガイド３６は樹脂製の部材であって、軸方向後半部に弾性片４８が設けられている。
弾性片４８の先端部には係止爪５０が設けられており、この係止爪５０が、ホース収納管２６側において対応する位置に形成された係止孔５２に弾性的に係止することで、ホースガイド３６がホース収納管２６から抜止めされている。
ここで弾性片４８はホース２２の引出方向、即ちホースガイド３６の抜出方向に延出形成されている。詳しくは弾性片４８は、その付根から先端が抜出方向を向くように延出形成されている。
【００４３】
本例の水栓の場合、水切部材４３の内径がホース端部に固定された端部金具７４を通過し得ない小径のものであっても、かかる端部金具７４をホース２２に固定した後において、そのホース２２に水切部材４３を嵌合せ状態に取り付けることができる。これにより水栓設置の際の施工性が良好となり、また水切部材４３を部品交換する必要が生じた場合においても、容易にこれを行うことができる。
【００４４】
また分割体４３Ａの周方向端面に係合凸部７０を、他方の分割体４３Ｂの周方向端面に係合凹部７２を形成してそれらを互いに係合するようにしていることから、一対の分割体４３Ａ，４３Ｂを分離位置で合せる際にそれら係合凸部７０と係合凹部７２との係合作用に基づいて、各分割体４３Ａ，４３Ｂのそれぞれの周方向端を位置ずれなく正確に合せることができる。
【００４５】
本例によれば、ホースガイド３６に対して端部金具７４を軸方向に通過させることができ、従ってホース２２の端部に端部金具７４をかしめ固定した後においても、ホースガイド３６をホース２２に対し軸方向に挿通し嵌合せ状態に装着することができる。
【００４６】
以上の例では水切部材４３における分割体４３Ａ，４３Ｂが非連繋で完全独立構成とされているが、図７に示しているように分割体４３Ａ，４３Ｂを薄肉のヒンジ７６で連繋した形態で水切部材４３を構成することも可能である。
【００４７】
このようにすれば、分割体４３Ａ，４３Ｂがばらばらになってしまってこれを紛失してしまう恐れをなくすことができ、更に分割体同士を合わせて全体の筒状の水切部材４３を構成するに際してもその作業性が良好となる利点が得られる。
【００４８】
図８は水切部材の他の例を参考例として示したもので、この例の水切部材７８は帯状のばね板材８０をスパイラル状に巻いて円筒形状の水切部材７８を構成した例である。
この水切部材７８は、原形状である縮径状態においてその内径がホース２２の外径よりも僅かに大きく、ホース２２の外面に対して弾性的に密着しないようになっている。
【００４９】
この水切部材７８は拡径方向に弾性変形可能であり、そしてその弾性拡径変形によりホース２２の端部金具７４を通過可能で、これによりホース２２に対し外嵌状態でホースガイド３６に装着することができる。
【００５０】
この例の場合、ホース２２を吐水ヘッド２４とともにホース収納管２６から引き出す際、水切部材７８とホース２２との間で大きな摩擦抵抗が発生せず、ホース２２を軽やかに引き出すことができ、その際の操作感が良好となる。
また水切部材４３をホース２２に外嵌する状態に装着するに際し、ホース２２に端部金具７４を取り付けた後においても水切部材７８の取付けが可能となる。
【００５１】
以上本発明の実施例を詳述したがこれはあくまで一例示であり、本発明は他の種々形態の水栓に適用することが可能であるなど、その主旨を逸脱しない範囲において種々変更を加えた形態で構成可能である。
【図面の簡単な説明】
【図１】  本発明の一実施例であるホース収納式水栓を示す図である。
【図２】  同じ実施例のホースガイドと水切部材を周辺部とともに組付状態で示す図である。
【図３】  同じ実施例のホースガイドと水切部材をホース引出状態で示した図である。
【図４】  同じ実施例のホースガイドと水切部材とホース収納管とを分解した状態で示す図である。
【図５】  同じ実施例のホースガイドと水切部材を周辺部とともに各部材に分解した状態で示す斜視図である。
【図６】  同じ実施例の水切部材の具体的構成を示す図である。
【図７】  本発明の他の実施例における水切部材の構成を示す図である。
【図８】  本発明の参考例としての水切部材の構成を示す図である。
【図９】  従来のホース収納式水栓の一例を示す図である。
【図１０】  従来のホース収納式水栓の図９とは異なる例を示す図である。
【図１１】  図１０のホース収納式水栓を各部材に分解して示す図である。
【図１２】  図１１におけるホースガイドの取付構造を示す図である。
【符号の説明】
２２  ホース
２４  吐水ヘッド
３６  ホースガイド
４３  水切部材
４３Ａ，４３Ｂ  分割体
７０  係合凸部
７２  係合凹部
７４  端部金具
７６  ヒンジ
８０  ばね部材
【図１】
0003689309.tif 000002
【図２】
0003689309.tif 000003
【図３】
0003689309.tif 000004
【図４】
0003689309.tif 000005
【図５】
0003689309.tif 000006
【図６】
0003689309.tif 000007
【図７】
0003689309.tif 000008
【図８】
0003689309.tif 000009
【図９】
0003689309.tif 000010
【図１０】
0003689309.tif 000011
【図１１】
0003689309.tif 000012
【図１２】
0003689309.tif 000013